(57)【要約】【課題】  垂直輸送管内における上昇気流の発生を抑制してごみ容器の降下速度の低下を阻止するとともに、ごみ容器降下輸送時に発生する騒音を低減させ、なおかつ、臭気の流出を抑制することができるごみ容器輸送装置を提供する。【解決手段】  高層ビルの所定階Ｆ3〜ＦNに設けられた投入装置２と、この投入装置２から投入されたごみ容器１００を下方に降下させて輸送する垂直輸送管３と、を備えるごみ容器輸送装置１において、垂直輸送管３の上部３ｕと下部３ｄとを連通させる上下連通管４を垂直輸送管３の外部に設け、これら垂直輸送管３と上下連通管４とにより閉じられた空気循環流路Ｒを形成する。【選択図】図１
2005178967.tif 000002
【特許請求の範囲】
【請求項１】
高層ビルの所定階に設けられたごみ容器投入用の投入装置と、この投入装置から投入されたごみ容器を下方に降下させて輸送する垂直輸送管と、を備えるごみ容器輸送装置において、
前記垂直輸送管の上部と下部とを連通させる上下連通管が前記垂直輸送管の外部に設けられるともに、前記垂直輸送管と前記上下連通管とにより閉じられた空気循環流路が形成されることを特徴とするごみ容器輸送装置。
【請求項２】
前記上下連通管には、前記垂直輸送管内の空気の流れを調整することにより前記ごみ容器の降下速度を制御する降下制御装置が設けられることを特徴とする請求項１に記載のごみ容器輸送装置。
【発明の詳細な説明】
【技術分野】
【０００１】
本発明は、ごみ容器輸送装置に関し、特に、ごみを詰め込んだごみ容器を高層ビルの所定階から地上に落下させて輸送するごみ容器輸送装置に関する。
【背景技術】
【０００２】
近年、高層ビルの複数階から排出されるごみを地上に輸送して収集するシステムが提案され、実用化されている。例えば、図２に示すように、高層ビルの各階で排出されるごみＤを軟質のごみ容器１００に詰め込み、このごみ容器１００を、所定階に設けられた投入装置１１０から垂直輸送管１２０内に投入して降下させて回収するごみ容器輸送装置２００が実用化されている（例えば、特許文献１参照。）。
【特許文献１】特公平６−９９００５号公報（第２頁、第２図）
【発明の開示】
【発明が解決しようとする課題】
【０００３】
ところで、従来のごみ容器輸送装置２００には、垂直輸送管１２０内に外気を導入するための吸気ダクト１３０が設けられており、この吸気ダクト１３０は、通常、高層ビルの屋外に開口される（図２参照）。このため、冬期等においては、吸気ダクト１３０の開口部（外気導入部）付近の外気の温度に対して屋内の空気の温度が高くなり、いわゆる煙突効果により垂直輸送管１２０内に上昇気流が発生する。かかる煙突効果による上昇気流は、ビルが高層化して垂直輸送管１２０が長尺化するほど強くなる傾向があり、ごみの降下速度の上昇を妨げている。
【０００４】
また、従来のごみ容器輸送装置２００には、前記した吸気ダクト１３０に加えて、垂直輸送管１２０内の空気を外部に排出するための（図示されていない）排気ダクトが設けられている。このため、垂直輸送管１２０内におけるごみ容器１００の降下輸送時に、吸気ダクト１３０や排気ダクトから騒音が発生するという問題がある。従来は、かかる騒音の問題を解決するために、吸気ダクト１３０や排気ダクトの近傍に消音装置１４０（図２参照）を設置していたが、消音装置１４０は高価である上に、設置作業に多大な労力を要していた。
【０００５】
また、従来のごみ容器輸送装置２００には、吸気ダクト１３０や排気ダクトが設けられているため、これら吸気ダクト１３０や排気ダクトから垂直輸送管１２０内の臭気が流出するのを防止する手段が必要であった。
【０００６】
本発明の課題は、垂直輸送管内における上昇気流の発生を抑制してごみ容器の降下速度の低下を阻止するとともに、ごみ容器降下輸送時に発生する騒音を低減させ、なおかつ、臭気の流出を抑制することができるごみ容器輸送装置を提供することである。
【課題を解決するための手段】
【０００７】
以上の課題を解決するために、請求項１に記載の発明は、高層ビルの所定階に設けられたごみ容器投入用の投入装置と、この投入装置から投入されたごみ容器を下方に降下させて輸送する垂直輸送管と、を備えるごみ容器輸送装置において、前記垂直輸送管の上部と下部とを連通させる上下連通管が前記垂直輸送管の外部に設けられるともに、前記垂直輸送管と前記上下連通管とにより閉じられた空気循環流路が形成されることを特徴とする。
【０００８】
請求項１に記載の発明によれば、垂直輸送管の上部と下部とを連通させる上下連通管が垂直輸送管の外部に設けられるとともに、垂直輸送管と上下連通管とにより閉じられた空気循環流路が形成される。このため、冬期等における垂直輸送管内への冷たい外気の流入を遮断するとともに、垂直輸送管の上部と下部との空気の温度差を小さくすることができるので、上昇気流の発生を抑制することができる。この結果、ビルの高層化に伴って垂直輸送管が長尺化した場合においても、ごみ容器の降下速度を上昇させるような制御を容易に行うことができるので、ごみ容器の降下輸送効率が低下することがない。
【０００９】
また、請求項１に記載の発明によれば、垂直輸送管と上下連通管とにより閉じられた空気循環流路が形成されるため、垂直輸送管内でごみ容器を降下させる際に、ごみ容器下方の押された空気を、上下連通管を介して垂直輸送管の上方に戻すことができる。また、ごみ容器降下の際にはごみ容器上方に負圧領域が生じるが、垂直輸送管の上方に戻された空気をこの負圧領域に流入させることができる。
【００１０】
従って、従来用いていた吸気ダクトや排気ダクトを設ける必要がないので、ごみ容器降下輸送時に発生する騒音を低減させることができる。この結果、消音装置を設置するための労力や費用を省くことができる。また、吸気ダクトや排気ダクトを設けないので、臭気の流出を抑制することもできる。
【００１１】
請求項２に記載の発明は、請求項１に記載のごみ容器輸送装置において、前記上下連通管には、前記垂直輸送管内の空気の流れを調整することにより前記ごみ容器の降下速度を制御する降下制御装置が設けられることを特徴とする。
【００１２】
請求項２に記載の発明によれば、上下連通管に設けられた降下制御装置により、垂直輸送管内の空気の流れを調整してごみ容器の上下の圧力を調整することにより、降下速度を制御することができる。例えば、ごみ容器の降下速度が上昇し過ぎた場合には、降下制御装置を用いて空気の循環速度を低下させて、垂直輸送管内におけるごみ容器下方の空気の圧力を上昇させることにより、ごみ容器の降下速度を低下させることができる。また、ごみ容器の降下速度が低下し過ぎた場合には、降下制御装置を用いて空気の循環速度を上昇させて、垂直輸送管内におけるごみ容器下方の空気の圧力を低下させることにより、ごみ容器の降下速度を上昇させることができる。
【発明の効果】
【００１３】
本発明によれば、ごみ容器輸送装置の垂直輸送管の上部と下部とを連通させる上下連通管が設けられ、垂直輸送管と上下連通管とにより閉じられた空気循環流路が形成されるので、垂直輸送管内における上昇気流の発生を抑制してごみ容器の降下速度の低下を阻止することができるとともに、ごみ容器降下輸送時に発生する騒音を低減させ、なおかつ、臭気の流出を抑制することができる。
【発明を実施するための最良の形態】
【００１４】
以下、本発明の実施の形態を、図を用いて詳細に説明する。本実施の形態に係るごみ容器輸送装置１は、ごみＤを詰め込んで円筒状に形成された軟質のごみ容器１００（図２参照）を降下させて回収するものである。
【００１５】
まず、本実施の形態に係るごみ容器輸送装置１の構成について説明する。
【００１６】
ごみ容器輸送装置１は、図１に示すように、高層ビルの所定階に設けられた投入装置２、投入装置２から投入されたごみ容器１００を下方に降下させて輸送する垂直輸送管３、垂直輸送管３の外部に設けられる上下連通管４、等を備えて構成されている。
【００１７】
投入装置２は、図１に示すように、高層ビルの３階Ｆ3〜Ｎ階ＦNに設けられている。投入装置２は、垂直輸送管３の側部に設けられた（図示されていない）投入口を各々有しており、この投入口からごみ容器１００を垂直輸送管３内に投入することができる。各投入装置２の投入口は、ごみ容器１００の投入時に開かれる一方、ごみ容器１００の非投入時には閉じられるように構成されている。このため、ごみ容器１００の非投入時においては垂直輸送管３の側部を密閉することができる。
【００１８】
垂直輸送管３は、図１に示すように、高層ビルの各階を貫いて立設された長尺円筒管であり、その径はごみ容器１００の径よりも若干大きい値に設定されている。垂直輸送管３の上端は密閉されている。また、垂直輸送管３の下端には、下端の開閉を行うための底蓋装置５と、垂直輸送管３内を降下させたごみ容器１００を（図示されていない）仕分装置に搬送する搬送装置６と、が設けられている。
【００１９】
底蓋装置５は開閉可能な底蓋５ａを有しており、ごみ容器１００の非輸送時においては、底蓋５ａによって垂直輸送管３の下端が密閉される。また、ごみ容器１００が垂直輸送管３内を降下して底蓋５ａに落下した場合には、底蓋５ａを開いて垂直輸送管３の下端を開放することにより、ごみ容器１００を搬送装置６のコンベア６ａの上面に落下させる。
【００２０】
上下連通管４は、図１に示すように、垂直輸送管３に沿って高層ビルの各階を貫いて立設された長尺円筒管である。上下連通管４の上端は垂直輸送管３の上部３ｕに接続され、上下連通管４の下端は垂直輸送管３の下部３ｄに接続されており、上下連通管４を介して垂直輸送管３の上部３ｕと下部３ｄとが連通している。そして、投入装置２の投入口や底蓋装置５の底蓋５ａを閉じることにより、垂直輸送管３と上下連通管４とによって閉じられた空気循環流路Ｒを形成することができる。
【００２１】
上下連通管４の一部には、図１に示すように、降下制御装置７が設けられている。降下制御装置７は、垂直輸送管３内の空気の圧力を調整することによりごみ容器１００の降下速度を制御するものである。本実施の形態においては、降下制御装置７として送風機を採用している。
【００２２】
以上説明した実施の形態に係るごみ容器輸送装置１においては、垂直輸送管３の上部３ｕと下部３ｄとを連通させる上下連通管４が垂直輸送管３の外部に設けられるとともに、垂直輸送管３と上下連通管４とにより閉じられた空気循環流路Ｒが形成される（図１参照）。従って、冬期等における垂直輸送管３内への冷たい外気の流入を遮断するとともに、垂直輸送管３の上部３ｕと下部３ｄとの空気の温度差を小さくすることができるので、上昇気流の発生を抑制して、ごみ容器１００の降下速度の低下を阻止することができる。この結果、ビルの高層化に伴って垂直輸送管３が長尺化した場合においても、ごみ容器１００の降下輸送効率が低下することがない。
【００２３】
また、以上説明した実施の形態に係るごみ容器輸送装置１においては、垂直輸送管３と上下連通管４とにより閉じられた空気循環流路Ｒが形成されるため、垂直輸送管３内でごみ容器１００を降下させる際に、ごみ容器１００下方の押された空気を、上下連通管４を介して垂直輸送管３の上方に戻すことができる。また、ごみ容器１００降下の際には、ごみ容器１００の上方に負圧領域が生じるが、垂直輸送管３の上方に戻された空気をこの負圧領域に流入させることができる。
【００２４】
従って、従来用いていた吸気ダクト１３０（図２参照）や排気ダクトを設ける必要がないので、ごみ容器１００の降下輸送時に発生する騒音を低減させることができる。この結果、消音装置１４０（図２参照）を設置するための労力や費用を省くことができる。また、吸気ダクト１３０や排気ダクトを設けないので、臭気の流出を抑制することもできる。
【００２５】
また、以上説明した実施の形態に係るごみ容器輸送装置１においては、上下連通管４に設けられた降下制御装置７により、垂直輸送管３内の空気の圧力を調整してごみ容器１００の降下速度を制御することができる。例えば、ごみ容器１００の降下速度が上昇し過ぎた場合には、降下制御装置７を用いて、垂直輸送管３内におけるごみ容器１００下方の空気の圧力を上昇させることにより、ごみ容器１００の降下速度を低下させることができる。また、ごみ容器１００の降下速度が低下し過ぎた場合には、降下制御装置７を用いて、垂直輸送管３内におけるごみ容器１００下方の空気の圧力を低下させることにより、ごみ容器１００の降下速度を上昇させることができる。
【００２６】
なお、以上の実施の形態においては、投入装置２を高層ビルの３階Ｆ3〜Ｎ階ＦNに設けた例を示したが、投入装置２が設けられる階は特に限定されるものではない。また、投入装置２の構造としては、従来のごみ容器輸送装置の投入装置の構造を採用することができる。
【００２７】
また、以上の実施の形態においては、円筒状の垂直輸送管３を採用した例を示したが、垂直輸送管３の形状はこれに限定されるものではない。例えば、ごみ容器１００が下方に降下できるような中空部を有する四角筒状ないし多角筒状の垂直輸送管３を採用することもできる。
【００２８】
また、以上の実施の形態においては、円筒状の上下連通管４を採用した例を示したが、上下連通管４の形状はこれに限定されるものではなく、垂直輸送管３の上部３ｕと下部３ｄとを連通させるものであればいかなる形状を採用することもできる。また、上下連通管４は、その内部を空気が流通することができるような材料で構成すればよく、例えば金属や硬質合成樹脂等の剛性材料や、ゴムや軟質合成樹脂等の柔軟材料で構成することができる。
【図面の簡単な説明】
【００２９】
【図１】本発明の実施の形態に係るごみ容器輸送装置の概略図である。
【図２】従来のごみ容器輸送装置の概略図である。
【符号の説明】
【００３０】
１      ごみ容器輸送装置
２      投入装置
３      垂直輸送管
３ｕ    垂直輸送管の上部
３ｄ    垂直輸送管の下部
４      上下連通管
５      降下制御装置
１００      ごみ容器
Ｆ3〜ＦN  高層ビルの所定階
Ｒ          空気循環流路
【図１】
2005178967.tif 000003
【図２】
2005178967.tif 000004